【手続補正書】
【提出日】平成19年10月17日(2007.10.17)
【手続補正１】
【補正対象書類名】明細書
【補正対象項目名】発明の名称
【補正方法】変更
【補正の内容】
【発明の名称】印刷システム、制御装置および印刷方法
【手続補正２】
【補正対象書類名】明細書
【補正対象項目名】特許請求の範囲
【補正方法】変更
【補正の内容】
【特許請求の範囲】
【請求項１】  印刷動作を開始可能なスタンバイモードと、該スタンバイモードに比べて消費電力の少ない節電モードとを動作モードとして有する印刷装置と、該印刷装置に画像データを送信する制御装置とを備えた印刷システムであって、
前記制御装置は、
前記印刷装置の動作状態を判別するための状態問合せコマンドを送信する状態問合せコマンド送信手段と、
前記状態問合せコマンド送信手段が送信した前記状態問合せコマンドに対する前記印刷装置の応答に基づいて、前記印刷装置の動作状態を判別する判別手段と、
前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを送信する節電解除コマンド送信手段と、
前記印刷装置が前記スタンバイモードで動作していると前記判別手段が判別した場合に、前記印刷装置に画像データを送信する画像データ送信手段と、
前記画像データの送信に先立って前記節電解除コマンド送信手段が前記節電解除コマンドを送信した場合は、前記画像データ送信手段により送信された画像データに基づく印刷動作が完了したと前記判別手段が判別したことに応じて前記印刷装置の動作モードを前記スタンバイモードから前記節電モードへ移行させるための節電移行コマンドを送信し、前記画像データの送信に先立って前記節電解除コマンド送信手段が前記節電解除コマンドを送信しなかった場合は、前記画像データ送信手段により送信された画像データに基づく印刷動作が完了したと前記判別手段が判別しても前記節電移行コマンドを送信しない節電移行コマンド送信手段とを有し、
前記印刷装置は、
前記制御装置から前記状態問合せコマンドを受信したことに応じて前記印刷装置の動作状態を示す情報を前記制御装置に送信する動作状態送信手段と、
前記制御装置から前記節電解除コマンドを受信したことに応じて前記印刷装置の動作状態を前記節電モードから前記スタンバイモードへ移行させる第１移行手段と、
前記制御装置から受信した前記画像データに基づいて印刷動作を実行する印刷手段と、
前記制御手段から前記節電移行コマンドを受信したことに応じて前記印刷装置の動作状態を前記スタンバイモードから前記節電モードへ移行させる第２移行手段とを有することを特徴とする印刷システム。
【請求項２】 前記印刷システムは、前記制御装置に印刷データを送信するホスト装置を更に備え、
前記制御装置は前記印刷データに基づいて前記画像データを生成する生成手段を有することを特徴とする請求項１に記載の印刷システム。
【請求項３】 印刷動作を開始可能なスタンバイモードと、該スタンバイモードに比べて消費電力の少ない節電モードとを動作モードとして有する印刷装置に画像データを送信する制御装置であって、
前記印刷装置の動作状態を判別するための状態問合せコマンドを送信する状態問合せコマンド送信手段と、
前記状態問合せコマンド送信手段が送信した前記状態問合せコマンドに対する応答に基づいて、前記印刷装置の動作状態を判別する判別手段と、
前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを送信する節電解除コマンド送信手段と、
前記印刷装置が前記スタンバイモードで動作していると前記判別手段が判別した場合に、前記印刷装置に画像データを送信する画像データ送信手段と、
前記画像データの送信に先立って前記節電解除コマンド送信手段が前記節電解除コマンドを送信した場合は、前記印刷装置が前記画像データ送信手段により送信された画像データに基づく印刷動作を完了したと前記判別手段が判別したことに応じて前記印刷装置の動作モードを前記スタンバイモードから前記節電モードへ移行させるための節電移行コマンドを送信し、前記画像データの送信に先立って前記節電解除コマンド送信手段が前記節電解除コマンドを送信しなかった場合は、前記印刷装置が前記画像データ送信手段により送信された画像データに基づく印刷動作を完了したと前記判別手段が判別しても前記節電移行コマンドを送信しない節電移行コマンド送信手段とを有することを特徴とする制御装置。
【請求項４】 前記制御装置は、印刷データを送信するホスト装置から前記印刷データを受信する受信手段と、
前記受信手段が受信した印刷データに基づいて前記画像データを生成する生成手段とを有することを特徴とする請求項３に記載の制御装置。
【請求項５】 印刷動作を開始可能なスタンバイモードと、該スタンバイモードに比べて消費電力の少ない節電モードとを動作モードとして有する印刷装置と、該印刷装置に画像データを送信する制御装置とを備えた印刷システムにおける印刷方法であって、
前記印刷装置の動作状態を判別する判別工程と、
前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを前記制御装置から前記印刷装置に送信する節電解除コマンド送信工程と、
前記印刷装置が前記スタンバイモードで動作していると前記判別手段が判別した場合に、前記制御装置から前記印刷装置に画像データを送信する画像データ送信手段と、
前記画像データの送信に先立って前記節電解除コマンド送信工程が前記節電解除コマンドを送信した場合は、前記画像データ送信工程により送信された画像データに基づく印刷動作が完了したと前記判別工程が判別したことに応じて前記印刷装置の動作モードを前記スタンバイモードから前記節電モードへ移行させるための節電移行コマンドを送信し、前記画像データの送信に先立って前記節電解除コマンド送信工程が前記節電解除コマンドを送信しなかった場合は、前記画像データ送信工程により送信された画像データに基づく印刷動作が完了したと前記判別工程が判別しても前記節電移行コマンドを送信しない節電移行コマンド送信工程とを有することを特徴とする印刷方法。
【請求項６】 印刷データを送信するホスト装置から前記制御装置に前記印刷データを送信する印刷データ送信工程と、
前記印刷データ送信工程が送信した印刷データに基づいて前記画像データを生成する生成工程とを有することを特徴とする請求項５に記載の印刷方法。
【手続補正３】
【補正対象書類名】明細書
【補正対象項目名】０００１
【補正方法】変更
【補正の内容】
【０００１】
【発明の属する技術分野】
本発明は、印刷システム、制御装置および印刷方法に関する。
【手続補正４】
【補正対象書類名】明細書
【補正対象項目名】０００６
【補正方法】変更
【補正の内容】
【０００６】
そこで、本発明は、節電モードで動作中であった印刷装置の、印刷動作完了後の消費電力を抑えることができる印刷システム、制御装置および印刷方法を提供する。
【手続補正５】
【補正対象書類名】明細書
【補正対象項目名】０００７
【補正方法】変更
【補正の内容】
【０００７】
【課題を解決するための手段】
上記目的を達成するために、本発明の請求項１に記載の印刷システムは、印刷動作を開始可能なスタンバイモードと、該スタンバイモードに比べて消費電力の少ない節電モードとを動作モードとして有する印刷装置と、該印刷装置に画像データを送信する制御装置とを備えた印刷システムであって、前記制御装置は、前記印刷装置の動作状態を判別するための状態問合せコマンドを送信する状態問合せコマンド送信手段と、前記状態問合せコマンド送信手段が送信した前記状態問合せコマンドに対する前記印刷装置の応答に基づいて、前記印刷装置の動作状態を判別する判別手段と、前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを送信する節電解除コマンド送信手段と、前記印刷装置が前記スタンバイモードで動作していると前記判別手段が判別した場合に、前記印刷装置に画像データを送信する画像データ送信手段と、前記画像データの送信に先立って前記節電解除コマンド送信手段が前記節電解除コマンドを送信した場合は、前記画像データ送信手段により送信された画像データに基づく印刷動作が完了したと前記判別手段が判別したことに応じて前記印刷装置の動作モードを前記スタンバイモードから前記節電モードへ移行させるための節電移行コマンドを送信し、前記画像データの送信に先立って前記節電解除コマンド送信手段が前記節電解除コマンドを送信しなかった場合は、前記画像データ送信手段により送信された画像データに基づく印刷動作が完了したと前記判別手段が判別しても前記節電移行コマンドを送信しない節電移行コマンド送信手段とを有し、前記印刷装置は、前記制御装置から前記状態問合せコマンドを受信したことに応じて前記印刷装置の動作状態を示す情報を前記制御装置に送信する動作状態送信手段と、前記制御装置から前記節電解除コマンドを受信したことに応じて前記印刷装置の動作状態を前記節電モードから前記スタンバイモードへ移行させる第１移行手段と、前記制御装置から受信した前記画像データに基づいて印刷動作を実行する印刷手段と、前記制御手段から前記節電移行コマンドを受信したことに応じて前記印刷装置の動作状態を前記スタンバイモードから前記節電モードへ移行させる第２移行手段とを有することを特徴とする。
本発明の請求項３に記載の制御装置は、印刷動作を開始可能なスタンバイモードと、該スタンバイモードに比べて消費電力の少ない節電モードとを動作モードとして有する印刷装置に画像データを送信する制御装置であって、前記印刷装置の動作状態を判別するための状態問合せコマンドを送信する状態問合せコマンド送信手段と、前記状態問合せコマンド送信手段が送信した前記状態問合せコマンドに対する応答に基づいて、前記印刷装置の動作状態を判別する判別手段と、前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを送信する節電解除コマンド送信手段と、前記印刷装置が前記スタンバイモードで動作していると前記判別手段が判別した場合に、前記印刷装置に画像データを送信する画像データ送信手段と、前記画像データの送信に先立って前記節電解除コマンド送信手段が前記節電解除コマンドを送信した場合は、前記印刷装置が前記画像データ送信手段により送信された画像データに基づく印刷動作を完了したと前記判別手段が判別したことに応じて前記印刷装置の動作モードを前記スタンバイモードから前記節電モードへ移行させるための節電移行コマンドを送信し、前記画像データの送信に先立って前記節電解除コマンド送信手段が前記節電解除コマンドを送信しなかった場合は、前記印刷装置が前記画像データ送信手段により送信された画像データに基づく印刷動作を完了したと前記判別手段が判別しても前記節電移行コマンドを送信しない節電移行コマンド送信手段とを有することを特徴とする。
本発明の請求項５に記載の印刷方法は、印刷動作を開始可能なスタンバイモードと、該スタンバイモードに比べて消費電力の少ない節電モードとを動作モードとして有する印刷装置と、該印刷装置に画像データを送信する制御装置とを備えた印刷システムにおける印刷方法であって、前記印刷装置の動作状態を判別する判別工程と、前記印刷装置が前記節電モードで動作していると前記判別手段が判別した場合に、前記画像データの送信に先立って、前記印刷装置の動作モードを前記節電モードから前記スタンバイモードへ移行させるための節電解除コマンドを前記制御装置から前記印刷装置に送信する節電解除コマンド送信工程と、前記印刷装置が前記スタンバイモードで動作していると前記判別手段が判別した場合に、前記制御装置から前記印刷装置に画像データを送信する画像データ送信手段と、前記画像データの送信に先立って前記節電解除コマンド送信工程が前記節電解除コマンドを送信した場合は、前記画像データ送信工程により送信された画像データに基づく印刷動作が完了したと前記判別工程が判別したことに応じて前記印刷装置の動作モードを前記スタンバイモードから前記節電モードへ移行させるための節電移行コマンドを送信し、前記画像データの送信に先立って前記節電解除コマンド送信工程が前記節電解除コマンドを送信しなかった場合は、前記画像データ送信工程により送信された画像データに基づく印刷動作が完了したと前記判別工程が判別しても前記節電移行コマンドを送信しない節電移行コマンド送信工程とを有することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
【発明の実施の形態】
本発明の印刷システム、制御装置および印刷方法の実施の形態を図面を参照しながら説明する。
【手続補正１４】
【補正対象書類名】明細書
【補正対象項目名】００８０
【補正方法】変更
【補正の内容】
【００８０】
【発明の効果】
本発明によれば、印刷装置が節電モードで動作している時に制御装置からの節電解除コマンドによって節電モードからスタンバイモードへ移行した場合に、印刷動作が完了したことに応じて制御装置から節電移行コマンドが送信されてスタンバイモードから節電モードへ移行するので、節電モードで動作中であった印刷装置の、印刷動作完了後の消費電力を抑えることができる。